(57)【要約】既存街燈にゼノンランプが適用されたランプ組立体を設置して消費電力が非常に低くてランプの入れ替え周期が飛躍的に延長されたゼノンランプを適用した街燈を開示する。したがって、本発明は、ゼノンランプを設置して少ない消費電力でもっと明るい光を放出するように構成された高效率のゼノンランプを適用した街燈を提供する。また、本発明は、ゼノンランプが設置されるランプ組立体に安定器を内装して、ゼノンランプの入れ替えが簡便であり、前記ランプ組立体を既存街燈にも易しく設置して適用することができるゼノンランプを適用した街燈を提供する。さらに、本発明は、一つのランプ組立体に多数のゼノンランプが設置され、作動するランプの数を制御して明るさ調節が可能であり、作動するゼノンランプが損傷されても他のゼノンランプ及び安定器が作動するようにすることによって、ランプの入れ替え周期が飛躍的に延長されたゼノンランプを適用した街燈を提供する。【選択図】        図２
2010515236.tif 000002
【特許請求の範囲】
【請求項１】
ランプ組立体に電源を供給するメーンソケットが内装するヘッドと、前記ヘッドを支持する支柱と、前記ヘッドに内装して前記メーンソケットに始動電圧を認可する安定器と、前記ランプ組立体の本体を構成し、その一側には前記メーンソケットに挿入されるメーンプラグが形成され、その他側には前記メーンプラグと電気的に繋がれる分配ソケットが形成され、その内部に空間部が形成されたケースと、前記分配ソケットに挿入されるゼノンランプとで構成される前記ランプ組立体とを含んで構成されることを特徴とするゼノンランプを適用した街燈。
【請求項２】
ランプ組立体に電源を供給するメーンソケットが内装するヘッドと、前記ヘッドを支持する支柱と、前記ランプ組立体の本体を構成し、その一側には前記メーンソケットに挿入されるメーンプラグが形成され、その他側には前記メーンプラグと電気的に繋がれる分配ソケットが形成され、その内部に空間部が形成されたケースと、前記分配ソケットに挿入されるゼノンランプと、前記空間部に位置し、前記メーンプラグから電圧を認可受けて前記メーンソケットに始動電圧を認可する安定器とで構成される前記ランプ組立体とを含んで構成されることを特徴とするゼノンランプを適用した街燈。
【請求項３】
ランプ組立体に電源を供給するメーンソケットが内装するヘッドと、前記ヘッドを支持する支柱と、前記ランプ組立体の本体を構成し、その一側には前記メーンソケットに挿入されるメーンプラグが形成され、その他側には前記メーンプラグと電気的に繋がれる多数の分配ソケットが形成され、その内部に空間部が形成されたケースと、前記多数の分配ソケットに挿入されるゼノンランプと、前記空間部に位置し、前記メーンプラグから電圧を認可受けて前記メーンソケットに始動電圧を認可する安定器とで構成される前記ランプ組立体とを含んで構成されることを特徴とするゼノンランプを適用した街燈。
【請求項４】
前記ランプ組立体は、前記ケースの空間部に形成され、前記メーンプラグを通じて前記電源をそれぞれの安定器に供給するか、または遮断するようにするスイチング部をもっと含んで構成されることを特徴とする請求項３に記載のゼノンランプを適用した街燈。
【請求項５】
前記ランプ組立体は、前記ケースの空間部に設置されて前記ゼノンランプの作動状態を感知する感知部と、前記スイチング部と電気的に繋がれる制御部をもっと含んで構成され、前記制御部は作動中のゼノンランプの故障を感知した前記感知部の信号を受ける時、直ちに他のゼノンランプが作動するように構成されることを特徴とする請求項４に記載のゼノンランプを適用した街燈。
【請求項６】
ジャケット内部に着色剤をコーティングするか、または着色されたガラス管をジャケットに挿入して願う色相の光を放出するように構成されることを特徴とする請求項１から３の中いずれか一項に記載のゼノンランプを適用した街燈。
【請求項７】
前記ゼノンランプは無水銀ランプであることを特徴とする請求項１から３の中いずれか一項に記載のゼノンランプを適用した街燈。
【発明の詳細な説明】
【技術分野】
【０００１】
本発明はゼノンランプを適用した街燈に関するものであり、より詳細には、既存街燈にゼノンランプが適用されたランプ組立体を設置して消費電力が非常に低くてランプの入れ替え周期が飛躍的に延長されたゼノンランプを適用した街燈に関するものである。
【背景技術】
【０００２】
一般に、安定器の寿命に限界があるので、ランプ及び安定器の管理及び整備に多くの努力と費用が必要となっている。
【０００３】
よって、ランプ及び安定器の整備周期が長いながらも整備作業が容易な街燈の開発が切実である。
【発明の概要】
【発明が解決しようとする課題】
【０００４】
したがって、本発明の目的は、ゼノンランプを設置して少ない消費電力でもっと明るい光を放出するように構成された高效率のゼノンランプを適用した街燈の提供にある。
【０００５】
本発明の他の目的は、ゼノンランプが設置されるランプ組立体に安定器を内装して、ゼノンランプの入れ替えが簡便であり、前記ランプ組立体を既存街燈にも易しく設置して適用することができるゼノンランプを適用した街燈の提供にある。
【０００６】
本発明のまた他の目的は、一つのランプ組立体に多数のゼノンランプが設置され、作動するランプの数を制御して明るさ調節が可能であり、作動するゼノンランプが損傷されても他のゼノンランプ及び安定器が作動するようにすることによって、ランプの入れ替え周期が飛躍的に延長されたゼノンランプを適用した街燈の提供にある。
【課題を解決するための手段】
【０００７】
前記目的等を果たすための本発明によるゼノンランプを適用した街燈は、ランプ組立体に電源を供給するメーンソケットが内装するヘッドと、前記ヘッドを支持する支柱と、前記ヘッドに内装して前記メーンソケットに始動電圧を認可する安定器と、前記ランプ組立体の本体を構成し、その一側には前記メーンソケットに挿入されるメーンプラグが形成され、その他側には前記メーンプラグと電気的に繋がれる分配ソケットが形成され、その内部に空間部が形成されたケースと、前記分配ソケットに挿入されるゼノンランプとで構成される前記ランプ組立体とを含んで構成されることを特徴とする。
【０００８】
前記目的等を果たすための本発明による他のゼノンランプを適用した街燈は、ランプ組立体に電源を供給するメーンソケットが内装するヘッドと、前記ヘッドを支持する支柱と、前記ランプ組立体の本体を構成し、その一側には前記メーンソケットに挿入されるメーンプラグが形成され、その他側には前記メーンプラグと電気的に繋がれる分配ソケットが形成され、その内部に空間部が形成されたケースと、前記分配ソケットに挿入されるゼノンランプと、前記空間部に位置し、前記メーンプラグから電圧を認可受けて前記メーンソケットに始動電圧を認可する安定器とで構成される前記ランプ組立体とを含んで構成されることを特徴とする。
【０００９】
前記目的等を果たすための本発明によるまた他のゼノンランプを適用した街燈は、ランプ組立体に電源を供給するメーンソケットが内装するヘッドと、前記ヘッドを支持する支柱と、前記ランプ組立体の本体を構成し、その一側には前記メーンソケットに挿入されるメーンプラグが形成され、その他側には前記メーンプラグと電気的に繋がれる多数の分配ソケットが形成され、その内部に空間部が形成されたケースと、前記多数の分配ソケットに挿入されるゼノンランプと、前記空間部に位置し、前記メーンプラグから電圧を認可受けて前記メーンソケットに始動電圧を認可する安定器とで構成される前記ランプ組立体とを含んで構成されることを特徴とする。
【００１０】
望ましくは、前記ランプ組立体は、前記ケースの空間部に形成され、前記メーンプラグを通じて前記電源をそれぞれの安定器に供給するか、または遮断するようにするスイチング部をもっと含んで構成される。
【００１１】
望ましくは、前記ランプ組立体は、前記ケースの空間部に設置されて前記ゼノンランプの作動状態を感知する感知部と、前記スイチング部と電気的に繋がれる制御部をもっと含んで構成され、前記制御部は作動中のゼノンランプの故障を感知した前記感知部の信号を受ける時、直ちに他のゼノンランプが作動するように構成される。
【００１２】
望ましくは、ジャケット内部に着色剤をコーティングするか、または着色されたガラス管をジャケットに挿入して願う色相の光を放出するように構成される。
【００１３】
望ましくは、前記ゼノンランプは無水銀ランプである。
【発明の効果】
【００１４】
前記のような本発明によるゼノンランプを適用した街燈によって、少ない消費電力でもっと明るい光を放出するようになるので、エネルギーを節減することができるし、ランプ組立体に安定器を内装して漏電事故からより安全であり、ランプ及び安定器の入れ替えが非常に簡便になる效果がある。
【００１５】
特に、前記ゼノンランプを適用した街燈を既存街燈にも易しく変更設置が可能なので、街燈入れ替えのための追加費用が節減され、作動するランプの数を制御して明るさ調節が可能であり、作動するゼノンランプが損傷されても他のゼノンランプ及び安定器が作動するようにすることによって、ランプの入れ替え周期が飛躍的に延長される。
【００１６】
また、水銀を添加しない親環境無水銀ゼノンランプを使う場合、環境汚染を減らすことができる效果もある。
【図面の簡単な説明】
【００１７】
【図１】既存の街燈のヘッド及びランプ組立体を図示した大略的な断面図である。
【図２】本発明の一実施例によるゼノンランプを適用した街燈のヘッド及びランプ組立体を図示した大略的な断面図である。
【図３】本発明の他の実施例によるゼノンランプを適用した街燈のランプ組立体を図示した大略的な断面図である。
【図４】本発明のまた他の実施例による３個のゼノンランプの装着が可能なランプ組立体を図示した大略的な断面図である。
【図５】本発明のまた他の実施例によるスイチング部と制御部が具備されたランプ組立体を図示した大略的な断面図である。
【図６】本発明のまた他の実施例によるゼノンランプの大略的な正面及び平面図である。
【図７】本発明のまた他の実施例によるランプ組立体の大略的な正面及び平面図である。
【図８】本発明のまた他の実施例によるランプ組立体を適用した街燈のヘッドを図示した大略的な断面図である。
【発明を実施するための形態】
【００１８】
以下、本発明が属する技術分野で通常の知識を有した者が本発明を容易に実施できる程度で本発明の望ましい実施例を添付された図面を参照して詳細に説明する。
【００１９】
図２は本発明の一実施例によるゼノンランプを適用した街燈のヘッド及びランプ組立体を図示した大略的な断面図である。 
【００２０】
本発明の一実施例によるゼノンランプを適用した街燈は、ランプ組立体３０と、前記ランプ組立体３０に電源を供給するメーンソケット２１が内装するヘッド２０と、前記ヘッド２０を支持する支柱１０と、前記メーンソケット２１に高電圧を認可する安定器５０とで成り立つ。
【００２１】
既存の街燈の場合、メーンソケットに直接ランプが結合になる構造になっている。しかしながら、本発明による街燈はハロゲンランプより光度及び照射距離がすぐれる。よって、 本発明による街燈ではゼノンランプ４０を簡便に適用して使うようにランプ組立体３０を構成するようになる。
【００２２】
前記ランプ組立体３０は、前記ランプ組立体３０の本体を構成し、その一側には前記メーンソケット２１に挿入されるメーンプラグ３２が形成され、その他側には前記メーンプラグ３２と電気的に繋がれる分配ソケット３３が形成され、その内部に空間部３５が形成されたケース３１と；前記分配ソケット３３に挿入されるゼノンランプ４０とで構成される。この時、分配ソケット３３に挿入されるゼノンランプ４０の連結部はスライド型のコネクタタイプで構成してゼノンランプ４０を分配ソケットに押し入れることによって、結合するようになる。また、ゼノンランプ４０の損傷時、容易にゼノンランプ４０の入れ替えが成り立つことができる。
【００２３】
前記ゼノンランプ４０の場合、始動のために高電圧が要求されるので、メーンソケット２１に始動電圧を認可してゼノンランプ４０に流れる電流を制御するための安定器５０が必要になる。
【００２４】
ここで、前記支柱１０に安定器５０を設置することができる。しかしながら、安定器５０を街燈のヘッド２０に内装するようにしてメーンソケット２１と近くの位置に設置するのが望ましい。
【００２５】
図３は本発明の他の実施例によるゼノンランプを適用した街燈のランプ組立体を図示した大略的な断面図である。 
【００２６】
図３に図示されたように、本発明の他の実施例によるランプ組立体３０は、前記ランプ組立体３０の本体を構成し、その一側には前記メーンソケット２１に挿入されるメーンプラグ３２が形成され、その他側には前記メーンプラグ３２と電気的に繋がれる分配ソケット３３が形成され、その内部に空間部３５が形成されたケース３１と；前記分配ソケット３３に挿入されるゼノンランプ４０と；前記空間部３５に位置し、前記メーンソケット２１に始動電圧を認可し、前記ゼノンランプ４０に流れる電流を制御するための安定器５０とを含んで構成される。
【００２７】
すなわち、本発明の他の実施例によるランプ組立体３０では、前記ランプ組立体３０の空間部３５に前記安定器５０を内装している。 
【００２８】
したがって、前記ランプ組立体３０を新規街燈で具現する場合、街燈の支柱１０及びヘッド２０の内部構造が非常に簡単になる。特に、前記安定器５０とメーンソケット２１を連結する高圧線の設置が不必要になるので、電線の老朽によった点灯不良及び漏電の危険を阻むことができるようになる。
【００２９】
また、前記ランプ組立体３０を既存の街燈に適用しようとする場合にも、街燈の支柱１０ 内部の安定器５０を解体して電源ケーブルをメーンソケット２１まで直接連結するのが難しくない。
【００３０】
図４は本発明のまた他の実施例による３個のゼノンランプの装着が可能なランプ組立体を図示した大略的な断面図である。
【００３１】
図４に図示されたように、本発明のまた他の実施例によるランプ組立体３０は、 前記ランプ組立体３０の本体を構成し、その一側には前記メーンソケット２１に挿入されるメーンプラグ３２が形成され、その他側には前記メーンプラグ３２と電気的に繋がれる三つの分配ソケット３３が形成され、その内部に空間部３５が形成されたケース３１と、前記三つの分配ソケット３３に挿入される三つのゼノンランプ４０と、 前記空間部３５に位置し、前記メーンソケット２１に始動電圧を認可し、前記各々のゼノンランプ４０に流れる電流を制御するための三つの安定器５０とを含んで構成される。
【００３２】
前記三つの分配ソケット３３は一字型または三角形模様に配置されるのが望ましい。また、必要な場合、三つ以上の分配ソケット３３を具備することもできる。しかしながら、設置空間及び電源用量を考慮する時、三つ以下になるように設置するのが望ましい。
【００３３】
ここで、前記安定器５０は各々のゼノンランプ４０動作の安定のために三つの分配ソケット３３に三つの安定器５０をそれぞれ設置するのが望ましい。
【００３４】
三つの分配ソケット３３に挿入される各々のゼノンランプ４０は２０ワットから１００ワットまでの多様な用量が適用されることができる。また、設置される各々のゼノンランプ４０の用量に適当な安定器など５０を設置しなければならない。
【００３５】
また、一つのゼノンランプ４０だけが本発明で利用されることもできるが、必要な場合、多数のゼノンランプ４０を利用することもできる。
【００３６】
図５は本発明のまた他の実施例によるスイチング部と制御部が具備されたランプ組立体を図示した大略的な断面図である。
【００３７】
図５に図示されたように、本発明のまた他の実施例によるランプ組立体３０は、図４に図示された前記ケース３１の空間部３５に形成され、前記メーンプラグ３２を通じて前記電源をそれぞれの安定器５０に供給するか、または遮断するようにするスイチング部６０をもっと構成する。
【００３８】
また、それぞれのゼノンランプ４０と繋がれて前記スイチング部６０と連動する制御モジュール(未図示)を設置して前記ゼノンランプ４０を調整するように構成することができる。
【００３９】
ここで、三つのゼノンランプ等の中、通常的に一つのゼノンランプだけが作動するようにして使うが、 必要な場合、二つまたは三つのゼノンランプ４０が作動するようにして使うことができる。
【００４０】
また、本発明のまた他の実施例によるランプ組立体３０は、前記ケース３１の空間部３５に設置されて前記ゼノンランプ４０の作動状態を感知する感知部７０と、前記スイチング部６０と電気的に繋がれる制御部８０とをもっと含んで構成する。
【００４１】
以下、一つのゼノンランプ４０だけ作動する場合、前記スイチング部６０、前記感知部７０及び前記制御部８０の作動関係を説明する。
【００４２】
第一に、前記制御部８０は前記スイチング部６０に信号を送って一つのゼノンランプ４０に電源を供給して安定器５０を通じて昇圧された電圧によって該当のゼノンランプ４０が動作する。
【００４３】
ここで、前記感知部７０はそれぞれのゼノンランプ４０と連動してゼノンランプ４０が正常に作動中なのかを感知して前記制御部８０へ信号を送るようになる。
【００４４】
もし作動中のゼノンランプ４０が損傷されて作動をしない場合、これを感知した感知部７０から信号を受けた制御部８０は、他のゼノンランプ４０(例えば、時計方向に作動手順を持つようにあらかじめ設定)が作動するようにスイチング部６０を制御するようになる。
【００４５】
以外にも、三つのゼノンランプ中、二つのゼノンランプ４０だけが作動する場合にも、等しい原理で設定が可能である。また、ケース３１の外部に制御部８０と連動する制御モジュール(未図示)を設置して作動するゼノンランプ４０の個数を調整することができる。
【００４６】
一般的に、前記ゼノンランプ４０は、内部にゼノンガスが挿入されて放電が起きるチューブ４１と、これを外部で保護する管形象のジャケット４２とで構成される。
【００４７】
ここで、前記チューブ４１の内部には放電のためにメタルが挿入される。また、チューブ４１に挿入される前記メタルの成分によって、発光される光の色相変化が可能である。
【００４８】
しかし、変化させることができる色相の数が少ないので、前記ジャケット４２の内部に着色剤をコーティングするか、または、着色されたガラス管をジャケット４２の内部に挿入することによって、願う色相の光を出すことができる。また、前記街燈の設置場所によって相応しい色相を持つ光を放出するようにすることによって、審美感を高めることができる。
【００４９】
一般的に、ゼノンランプは輝度を進めるために、チューブ４１内部に挿入されるメタルの成分として水銀を添加するようになる。しかし、本発明ではチューブ４１内部に水銀が全然添加されない無水銀ゼノンランプを使う。よって、親環境無水銀ゼノンランプを提供することができる。
【００５０】
図６は本発明のまた他の実施例によるゼノンランプの大略的な正面及び平面図であり、図７は本発明のまた他の実施例によるランプ組立体の大略的な正面及び平面図であり、図８は本発明のまた他の実施例によるランプ組立体を適用した街燈のヘッドを図示した大略的な断面図である。
【００５１】
図６に図示されたように、ゼノンランプ４０を２個のジャケット４２を持つように構成することができるし、これを通じてもっと明るい光を放出することができる。
【００５２】
図７及び図８に図示されたように、前記ランプ組立体を、図４及び図５のランプ組立体と違う形象でさまざまに構成することができる。
【産業上の利用可能性】
【００５３】
本発明はゼノンランプを適用した街燈に関するものであり、より詳細には、既存街燈にゼノンランプが適用されたランプ組立体を設置して消費電力が非常に低くてランプの入れ替え周期が飛躍的に延長されたゼノンランプを適用した街燈に関するものである。
【００５４】
以上で説明したものは、本発明を実施するための一つの実施例に過ぎないものであり、本発明は前記一実施例に限定されずに、本発明の特許の請求範囲で請求するように本発明の要旨を抜け出すことがなく、当該発明が属する分野で通常の知識を有した者ならば誰でも多様な変更実施が可能な範囲まで本発明の技術的精神があるということができる。
【図１】
2010515236.tif 000003
【図２】
2010515236.tif 000004
【図３】
2010515236.tif 000005
【図４】
2010515236.tif 000006
【図５】
2010515236.tif 000007
【図６】
2010515236.tif 000008
【図７】
2010515236.tif 000009
【図８】
2010515236.tif 000010
【国際調査報告】
2010515236.tif 000011
2010515236.tif 000012